(57)【特許請求の範囲】
【請求項１】
電源コードによりストレージ装置と接続可能な情報処理装置であって、
電力供給により前記情報処理装置を起動させる電源部と、
操作入力により前記情報処理装置に電源投入された場合、前記電源部への電力供給を行う前に、前記電源コードを経由して前記ストレージ装置に電力供給する電力供給部と、
前記電力供給部によって前記ストレージ装置に電力供給された結果、前記ストレージ装置から前記電源コードを経由する所定の信号を検出する検出部と、
前記検出部によって前記所定の信号が検出された場合、前記電力供給部による前記電源部への電力供給を行う制御部と、を備え、
前記制御部は、前記検出部によって、前記電源コードから検出される電流値が所定値以下の場合、前記所定の信号の検出有無によらず、前記電力供給部による前記電源部への電力供給を行う、
ことを特徴とする情報処理装置。
【請求項２】
前記制御部は、
前記ストレージ装置ごとに前記電源コードが接続されている場合、前記検出部により、前記各ストレージ装置から各々の電源コードを経由する前記所定の信号がすべて検出された場合、前記電力供給部による前記電源部への電力供給を行うことを特徴とする請求項１に記載の情報処理装置。
【請求項３】
前記各ストレージ装置を接続する前記電源コードの差込口ごとに、隣接して接続されている他の電源コードを経由する前記所定の信号を排除するフィルタを備えることを特徴とする請求項２に記載の情報処理装置。
【請求項４】
前記電源コードに接続した、前記ストレージ装置を複数接続可能な分岐コンセントを備え、
前記分岐コンセントは、当該分岐コンセントに接続されたすべての電源コードから前記所定の信号が検出された場合に、前記情報処理装置に接続された電源コードに前記所定の信号を出力することを特徴とする請求項１〜３のいずれか一つに記載の情報処理装置。
【請求項５】
情報処理装置と当該情報処理装置に電源コードを介して接続されたストレージ装置とを含む情報処理システムであって、
前記ストレージ装置は、
前記電源コードから電力が供給されると、電力供給の完了を通知する所定の信号を前記電源コードに送出する送出部を備え、
前記情報処理装置は、
電力供給により前記情報処理装置を起動させる電源部と、
操作入力により前記情報処理装置に電源投入された場合、前記電源部への電力供給を行う前に、前記電源コードを経由して前記ストレージ装置に電源供給する電源供給部と、
前記電源供給部によって前記ストレージ装置に電源供給された結果、前記ストレージ装置から前記電源コードを経由する前記所定の信号を検出する検出部と、
前記検出部によって前記所定の信号が検出された場合、前記電源供給部による前記電源部への電力供給を行う制御部と、を備え、
前記制御部は、前記検出部によって、前記電源コードから検出される電流値が所定値以下の場合、前記所定の信号の検出有無によらず、前記電力供給部による前記電源部への電力供給を行う、
ことを特徴とする情報処理システム。
【発明の詳細な説明】
【技術分野】
【０００１】
この発明は、電源コードによりストレージ装置が接続可能な情報処理装置および情報処理システムに関する。
【背景技術】
【０００２】
従来より、サーバ装置などの情報処理装置にストレージ装置を接続して構成される情報処理システムでは、各装置の起動順序に留意しなければならなかった。具体的には、下記のような順序で電源投入を実行して、情報処理装置（ここでは、以下サーバ装置として説明する）を起動する前に、ストレージ装置を起動しておく必要がある。
【０００３】
同様に、停止時にも、下記のような順序で電源停止を実行して、ストレージ装置を停止する前にサーバ装置を停止する必要がある。正しい順序で各装置への電源投入および電源停止を実行しなければ、各装置における動作不良などが発生してシステム全体へ悪影響を及ぼしてしまう可能性があった。
【０００４】
［システム開始］  ストレージ電源投入⇒サーバの電源投入
［システム停止］  サーバの電源停止⇒ストレージの電源停止
情報処理システム＝サーバ装置＋ストレージ装置
【０００５】
サーバ装置およびストレージ装置への適切な電源投入および電源停止の順序を守るための対応策としては、専用の電源連動用のハードウェアやソフトウェアを用意したり、ＬＡＮケーブルや専用ケーブル（たとえば、ＲＳ２３２Ｃなど）で装置間に電源連動用の専用信号を伝えることによって、電源投入および電源停止（電源投入／停止の命令）を制御する技術が提供されている。
【０００６】
また、他にも、ストレージ装置が、電源投入後に、データ入出力要求を受付可能な状態になると、ＬＡＮやバスなどのインターフェースを介して、サーバ装置の電源投入を要求する信号をサーバ装置に送信する技術が開示されている。サーバ装置内には電源が切断状態でも通信可能な通信部を用意しておき、通信部においてストレージ装置からの電源投入を要求する信号が受信されると、サーバ装置は電源投入を行う。したがって、各装置への電源投入が正しい順序で行われる（たとえば、下記特許文献１，２参照。）。
【先行技術文献】
【特許文献】
【０００７】
【特許文献１】特開２００４−３３４５３５号公報
【特許文献２】特開２００４−３０２１３号公報
【発明の概要】
【発明が解決しようとする課題】
【０００８】
しかしながら、上述の従来技術では、サーバ装置がサーバ装置から送信された電源投入を要求する信号に応じて電源投入を行う。したがって、ＬＡＮやバスなど所定のインターフェースを、各装置の電源が切断された状態であっても通信が可能な状態に設定しておく必要がある。
【０００９】
さらに、上述のように電源投入を要求する信号を伝送するための専用ケーブルをあらかじめ接続しておく必要がある。また、多数のストレージ装置を接続する場合には、配線が複雑になるとともに、多数のストレージ装置からそれぞれ伝送された電源投入を要求する信号に応じてサーバ装置への電源投入を制御する処理も複雑になってしまうという問題があった。
【００１０】
そして、サーバ装置とストレージ装置との電源連動を行う専用のハードウェアやソフトウェアは装置本体と比較して高価であり、システム導入時の費用アップにつながってしまう。特に、情報処理システムの規模が小さい場合には、電源連動を行うソフトウェアやハードウェアの導入は、割高感が強く、導入が見送られることが多い。
【００１１】
ところが、実際に情報処理システムの運用が始まると、適切な電源連動の実現は運用者の大きな負担になる。したがって、運用開始後に、運用者から情報処理システムの電源連動に関する技術の導入が依頼されることも多い。
【００１２】
また、従来の電源連動を行うハードウェアやソフトウェアの場合、多くは、実質はソフトウェア側で、サーバ装置の起動開始時間の設定を行う。その他、「起動時は、ストレージ装置が起動完了してから、サーバ装置を起動」、「停止時は、サーバ装置を停止してから、ストレージ装置を停止」という動作順序の設定も、ソフトウェア側で行う。
【００１３】
すなわち、電源連動を行うハードウェアやソフトウェアを使用し、情報処理システムの電源連動を行う場合も、人為的な設定ミスにより、適切な順序で電源が入らない可能性もあった。また、電源連動に関する設定を正確に行うには、起動処理時には、ストレージ装置側のファームＯＳの起動時間も考慮する必要がある。さらに、設定作業後の動作確認テストなどの各種確認作業も必要となり、結果として運営者に求められる作業工数は相当数に上る。また、作業工程の増加は、そのままシステム運営にかかるコスト増を招くという問題もあった。
【００１４】
本開示技術は、上述した従来技術による問題点を解消するため、簡易な構成で、情報処理装置に接続されたストレージ装置に優先的に電力供給することのできる情報処理装置および情報処理システムを提供することを目的とする。
【課題を解決するための手段】
【００１５】
上述した課題を解決し、目的を達成するため、本開示技術は、電源コードによりストレージ装置が接続可能な情報処理装置であって、電力供給により前記情報処理装置を起動させる電源部と、操作入力により前記情報処理装置に電源投入された場合、前記電源部への電力供給を規制するとともに、前記電源コードを経由して前記ストレージ装置に電力供給する電力供給部と、前記電力供給部によって前記ストレージ装置に電力供給された結果、前記ストレージ装置から前記電源コードを経由してくる所定の信号を検出する検出部と、前記検出部によって前記所定の信号が検出された場合、前記電力供給部による前記電源部への電力供給の規制を解除する制御部と、を含むことを要件とする。
【発明の効果】
【００１６】
本情報処理装置および情報処理システムによれば簡易な構成で、情報処理装置に接続されたストレージ装置に優先的に電力供給することができるという効果を奏する。
【図面の簡単な説明】
【００１７】
【図１】本実施の形態にかかる電源連動処理の一例を示す説明図である。
【図２】本実施の形態にかかる情報処理システムの構成を示す説明図である。
【図３】実施例１におけるサーバシステムの構成を示す説明図である。
【図４】内蔵コンセントの構成を示す説明図である。
【図５】判定部における判定処理の手順を示すフローチャートである。
【図６】実施例２におけるサーバシステムの構成例を示す説明図である。
【図７】連携テーブルタップの構成を示す説明図である。
【発明を実施するための形態】
【００１８】
以下に添付図面を参照して、この発明にかかる情報処理装置および情報処理システムの好適な実施の形態を詳細に説明する。
【００１９】
図１は、本実施の形態にかかる電源連動処理の一例を示す説明図である。図１のように、本実施の形態では、情報処理装置として、サーバ装置１００の例を挙げて説明する。サーバ装置１００には、本実施の形態の独自の構成として内蔵コンセント１０１と、２つの電源スイッチ１０２とが備えされている。電源スイッチ１０２は、サーバ装置１００の実質的な本体となるサーバ装置中核部１０３と、内蔵コンセント１０１への電力供給を制御する。
【００２０】
本実施の形態のような構成をとることによって、サーバ装置１００は、サーバ装置１００への電源投入操作によって、自動的に内蔵コンセント１０１に接続したストレージ装置１１０への電力供給を行うことができる。したがって、容易に情報処理システム（サーバ装置１００＋ストレージ装置１１０）を構成することができる。
【００２１】
さらに、サーバ装置１００は、２つの電源スイッチ１０２（電源スイッチ１、電源スイッチ２）と内蔵コンセント１０１を利用することによって、各装置がそれぞれ適切な順序で起動されるように電源投入のタイミングを連動させることができる。従来技術にて説明したように、サーバ装置１００とストレージ装置１１０とが接続されている場合、ストレージ装置１１０→サーバ装置１００の順番で起動させなければならない。
【００２２】
そこで、サーバ装置１００は、内蔵コンセント１０１によって各装置への電力供給を制御して、適切な順序で各装置を起動させる。具体的には、内蔵コンセント１０１は、電力供給部１０１ａと、検出部１０１ｂと、制御部１０１ｃとが含まれている。
【００２３】
電力供給部１０１ａは、指定された機能部へ電力供給を行う機能を有する。電力供給部１０１ａは、サーバ装置１００への電力投入を契機として電源コードを経由して接続されたストレージ装置１１０に電力供給を行う。
【００２４】
検出部１０１ｂは、電源コードから出力された高周波信号を検出する機能を有する。具体的には、検出部１０１ｂは、電力供給部１０１ａによってストレージ装置１１０に電力供給された結果、ストレージ装置１１０から電源コードを経由してくる高周波信号を検出する。高周波信号とは、音声として聞こえる周波数（２０Ｈｚ〜２０ｋＨｚ）より高い周波数を意味し、したがって、電力の周波数（５０Ｈｚ又は６０Ｈｚ）より高い周波数を意味する。
【００２５】
ストレージ装置１１０は、電源部１２０から電力が供給されると、高周波信号送出機構１１１から電力供給の完了を通知する高周波信号を出力する。すなわち、サーバ装置１００に接続されたストレージ装置１１０は、電源部１２０から入力された電力が入力されると、はじめて、「高周波」と設定されている周波数の信号を出力することができる。
【００２６】
なお、高周波信号送出機構１１１は、所定の信号を高周波にのせて送出させることによって、電源供給の完了を通知する。高周波信号として送出される信号は、各種の変調方式や信号手法を適宜採用することができる。具体的には、たとえば、変調方式として、搬送波（本実施の形態の場合は高周波）の断続を利用して信号の０／１を表現して、モールス信号のパターンを信号手法としてもよい。
【００２７】
制御部１０１ｃは、検出部１０１ｂによって高周波信号が検出された場合、電源スイッチ１０２−２（電源スイッチ２）によるサーバ装置中核部１０３への電力供給の規制を解除する。
【００２８】
以上説明した機能を用いて、ユーザによってサーバ装置１００の電源投入操作が行われてから、ストレージ装置１１０→サーバ装置１００の順序で電源投入が完了するまでの動作を順に説明する。
【００２９】
まず、電源スイッチ１０２−１（電源スイッチ１）が、ユーザの操作によってＯＮ状態にされると、電源部１２０からの電力が内蔵コンセント１０１および電源スイッチ１０２−２（電源スイッチ２）へ供給される。供給された電力は、内蔵コンセント１０１を経由して、さらに、電力供給部１０１ａによって、ストレージ装置１１０にまで供給される。また、電源スイッチ１０２−１（電源スイッチ１）がＯＮ状態になると、内蔵コンセント１０１だけでなく、同時に、並列に接続された電源スイッチ１０２−２（電源スイッチ２）にも電力が供給される。
【００３０】
なお、電源スイッチ１０２−２（電源スイッチ２）はＯＦＦ状態であるため、電源スイッチ１０２−２（電源スイッチ２）に接続されているサーバ装置中核部１０３には電力は供給されていない。サーバ装置中枢部１０３は、電源スイッチ１０２−２（電源スイッチ２）がＯＮ状態になって初めて起動する。したがって、電源スイッチ１がＯＮ状態に操作されても、サーバ装置中枢部１０３は、電源投入が完了していない状態となる。
【００３１】
内蔵コンセント１０１では、検出部１０１ｂによって、ストレージ装置１１０からの高周波信号の受信状況に応じて、ストレージ装置１１０の電源投入が完了した状態か否かの判定を行う。なお、図１では、便宜上、サーバ装置１００とストレージ装置１１０とを接続する電源コードと、高周波信号の出力線とを別々に表示しているが、実際には、高周波信号も電力が供給される電源コードを経由して、サーバ装置１００の内蔵コンセント１０１に出力される。したがって、従来技術のように、ストレージ装置１１０の電源投入完了をサーバ装置１００へ報知するための専用の信号線を設ける必要はない。
【００３２】
そして、検出部１０１ｂによって、ストレージ装置１１０の電源投入が完了したと判定されると、内蔵コンセント１０１は、制御部１０１ｃによって、電源スイッチ１０２−２（電源スイッチ２）を制御してスイッチＯＮ状態にする。電源スイッチ１０２−２（電源スイッチ２）は、ＯＮ状態となると、電源部１２０から電源スイッチ１０２−１（電源スイッチ１）経由で供給された電力をサーバ装置中核部１０３に供給する。
【００３３】
サーバ装置中核部１０３への電力供給によって、サーバ装置１００が起動されると、サーバ装置１００も電源投入が完了した状態となる。したがって、ユーザがサーバ装置１００への電源投入を操作するだけで、自動的に、ストレージ装置１１０→サーバ装置１００の順序で各装置の電源投入が連動して行われる。
【００３４】
図２は、本実施の形態にかかる情報処理システムの構成を示す説明図である。図２は、本実施の形態にかかる情報処理システム２００の一構成例を示している。本実施の形態では、内蔵コンセント１０１に複数の差込口を設けることによって、サーバ装置１００に複数のストレージ装置１１０を接続させることができる。
【００３５】
したがって、通常、情報処理システム２００は、サーバ装置１００と、サーバ装置１００に接続された複数のストレージ装置１１０によって構成されている。また、情報処理システム２００では、サーバ装置１００とストレージ装置１１０とを、電源コードによって接続すれば、電源コードから高周波信号を受信したか否かに基づいて、各ストレージ装置１１０の電源投入状況を把握することができる。
【００３６】
なお、情報処理システム２００では、図１にて説明したような、電源連動処理を実現するため、具体的には、下記のような機能が必要となる。
【００３７】
（ａ）ストレージ装置１１０が電源投入完了状態になったとき、その旨を知らせる高周波信号を、サーバ装置１００の内蔵コンセント１０１へ送信する機能。
→ストレージ装置１１０の内部もしくは外付けで高周波信号送信機構を用意する。
【００３８】
（ｂ）ストレージ装置１１０から送信された高周波信号を差込口ごとに受信して、接続されたストレージ装置１１０すべてが電源投入完了状態かどうかを判定し、電源投入完了状態の場合には、サーバ装置１００のへの電力供給をＯＮ状態にする機能。
→内蔵コンセント１０１に高周波信号の受信判定部とＡＮＤ回路とを用意する。
【００３９】
（ｃ）内蔵コンセント１０１内の各差込口に、隣接する他の差込口に接続された電源コードから入力された高周波信号を誤って検出しないように、隣接する差込口に入力される高周波信号のクロストークを排除する機能。
→導体と内蔵コンセント群の電源入力側導体との間に（高周波に抵抗を与える）フィルタ（コイル）を用意する。
【００４０】
以上説明したような機能を備えた情報処理システム２００を構成することによって、サーバ装置１００に対して電源投入の操作を行うだけで、自動的にストレージ装置１１０→サーバ装置１００の順序で電源投入が行われる。また、内蔵コンセント１０１に、高周波信号を検出する機能部を設けることによって、サーバ装置１００と、ストレージ装置１１０とを電源コードで接続すれば、その他の信号線を接続することなく、ストレージ装置の電源投入状況を把握することができる。したがって、従来技術と比較して、大幅に簡易な構成で電源連動を実現することができる。
【００４１】
以下には、図１，２にて説明した本実施の形態にかかる情報処理システム２００の具体意的な実施例として、サーバ装置１００に複数のストレージ装置１１０を接続して構成されたサーバシステムについて説明する。
【００４２】
（実施例１）
実施例１は、サーバ装置１００から、内蔵コンセント１０１によって、複数のストレージ装置１１０が接続されて情報処理システム２００を構成する場合の実施例であり、最も基本的な構成である。なお、サーバ装置１００に接続するストレージ装置１１０の台数は、内蔵コンセント１０１に設けられた差込口の数まで増加可能である。
【００４３】
図３は、実施例１におけるサーバシステムの構成を示す説明図である。サーバシステム３００は、サーバ装置１００と、サーバ装置１００に内蔵コンセント１０１を介して接続された複数のストレージ装置１１０とによって構成される。また、サーバ装置１００には、電源コード１を経由して外部電源から電力が供給される。また、ストレージ装置１１０も、サーバ装置１００に接続した電源コード２によって電力が供給される構成になっている。
【００４４】
また、電源コード１から電力が供給される、電源スイッチ１０２−１（電源スイッチ１）には、電源スイッチ１０２−２（電源スイッチ２）と、内蔵コンセント１０１が接続されている。電源スイッチ１０２−２（電源スイッチ２）は、さらに、サーバ装置中核部１０３に接続されている。
【００４５】
一方、内蔵コンセント１０１には、ストレージ装置１１０の電源投入状況を把握して、電源スイッチ１０２−２（電源スイッチ２）を操作する高周波信号処理部１０４と、電源コード２によってストレージ装置１１０を接続する差込口１０５とが備えられている。
【００４６】
差込口１０５は、複数個用意されており、サーバシステム３００の設計に応じた台数のストレージ装置１１０が接続される。なお、ストレージ装置１１０には、装置内部で発生した高周波信号を、電源コード２を経由して差込口１０５に出力するための、高周波信号送出機構１１１が備えられている。
【００４７】
＜電源投入手順＞
つぎに、上述したような構成のサーバシステム３００における電源投入手順について説明する。なお、電源投入前の電源切断状態のサーバシステム３００では、電源スイッチ１０２はすべてＯＦＦ状態になっているものとする。
【００４８】
１）サーバ装置１００は、電源切断状態時に、ユーザによって電源スイッチ１０２−１（電源スイッチ１）の操作ボタンが押下されると、電源スイッチ１０２−１（電源スイッチ１）は、ＯＮ状態となる。なお、１）の処理の実行に連動して、電源スイッチ１０２−２（電源スイッチ２）が強制的にＯＦＦ状態になるように設定してもよい。このような設定を施すことによって、電源投入前の初期状態に、誤って電源スイッチ１０２−２（電源スイッチ２）がＯＮ状態に設定されている場合に、サーバ装置１００に電力が供給されてしまうような事態を防ぐことができる。
【００４９】
２）電源スイッチ１０２−１（電源スイッチ１）が、ＯＮ状態になると、電源スイッチ１０２−２（電源スイッチ２）、内蔵コンセント１０１に定格電圧を与え電力を供給する。すなわち、電源スイッチ１０２−２（電源スイッチ２）と、内蔵コンセント１０１に外部電源による電圧がかかる（電力供給状態となる）。
【００５０】
３）上記２）の処理によって、内蔵コンセント１０１に接続されたストレージ装置１１０が、電力非供給状態から電力供給状態に変わる（電源電圧が０Ｖから定格電圧に変わる）。なお、あらかじめ、ストレージ装置１１０は、電源電圧が０Ｖから定格電圧に変わると、起動を開始するようなモードに設定しておく。したがって、ストレージ装置１１０は、電力供給状態に変わると、起動を開始する。
【００５１】
４）ストレージ装置１１０の起動が完了すると、高周波信号送出機構１１１から電源コード２を経由して高周波信号が送出される。なお、高周波信号送出機構１１１は、たとえば、ストレージ装置１１０の起動が完了して電源投入状態になると、ＲＥＡＤＹ表示ランプを点灯させ、点灯したＲＥＡＤＹ表示ランプの電圧を受けて、高周波信号を送出する構成であってもよい。送出された高周波信号は、電源コード２を経由して差込口１０５に出力される。なお、実施例１では、高周波信号の周波数を３０ＭＨｚとして以下説明を行う。
【００５２】
５）高周波信号処理部１０４は、内蔵コンセント１０１に備えられた各差込口１０５から高周波信号が出力されたか否かを検出する。なお、高周波信号処理部１０４には、すべての差込口１０５における検出結果が入力されるＡＮＤ回路が用意されている。そして、ＡＮＤ回路は、すべての差込口１０５から出力された高周波信号のＡＮＤ判断を行う。したがって、高周波信号処理部１０４は、すべての差込口１０５から高周波信号が出力されると、電源スイッチ１０２−２（電源スイッチ２）に、押しボタン押下の操作を行ったと同等の短絡信号を送信する。
【００５３】
６）電源スイッチ１０２−２（電源スイッチ２）は、高周波信号処理部１０４から送信された短絡信号を受信すると、論理的に押しボタンが押下されたものとして、電源スイッチ１０２−２（電源スイッチ２）自体を、ＯＮ状態に切り替える。電源スイッチ１０２−２（電源スイッチ２）は、ＯＮ状態になると、サーバ装置中核部１０３に、定格電圧を与え、電力を供給する。
【００５４】
以上説明した１）〜６）の手順によってサーバシステム３００は、ストレージ装置１１０→サーバ装置１００の順序で適切に電源投入が行われる。その後、サーバシステム３００の電源を停止する場合には、下記のような手順が行われる。
【００５５】
７）ユーザの操作によってサーバ装置１００の終了処理（シャットダウン）が実行される。サーバ装置１００の終了処理によって、サーバ装置１００のサーバ装置中核部１０３に流れる電源電流は非常に小さくなる。
【００５６】
８）上記７）の処理と同様に、ユーザの操作によってストレージ装置１１０も停止処理が行われる。ストレージ装置１１０の停止処理が完了すると、ストレージ装置１１０に流れる電源電流は非常に小さくなる。
【００５７】
９）上記７），８）の処理によって電源電流が一定基準（たとえば、１０ｍＡ程度）より小さくなると、サーバ装置１００とストレージ装置１１０とは、ともに停止したものとして、電源スイッチ１０２−１（電源スイッチ１）は、電源切断状態とする。具体的には、電源スイッチ１０２−１（電源スイッチ１）は、電源スイッチ１０２−２（電源スイッチ２）および内蔵コンセント１０１に与える電源電圧を０Ｖにし、電力供給を停止する。
【００５８】
以上の７）〜９）の処理によって、内蔵コンセント１０１が電力非供給状態（０Ｖ）となり、ストレージ装置１１０も電力非供給状態（０Ｖ）となり、サーバシステム３００は電源停止状態となる。
【００５９】
（内蔵コンセント１０１の構成）
図４は、内蔵コンセントの構成を示す説明図である。図４を用いて、内蔵コンセント１０１の詳細な構成について説明する。図４のように、内蔵コンセント１０１には、各差込口１０５に対応して、それぞれ、抵抗Ｒ１と、コイルＬ１，Ｌ２と、コンデンサＣ１，Ｃ２と、差込口に入力された電流を検出する電流検出器４０１（電流検出器１，２）と、高周波信号受信部４０２（高周波信号受信部１，２）と、判定部４０３（判定部１，２）と、ＡＮＤ判定部４０４と、状態表示器４０５（状態表示器１，２）と、が備えられている。
【００６０】
コイルＬ１，Ｌ２およびコンデンサＣ１，Ｃ２は、各差込口１０５に隣接する他の差込口１０５から出力された高周波信号を排除する機能を持つ。コイルＬ１，Ｌ２およびコンデンサＣ１，Ｃ２によって隣接する差込口１０５から出力された高周波信号を排除するため、高周波信号受信部４０２による誤検出を防ぐことができる。
【００６１】
なお、コイルＬ１，Ｌ２のリアクタンス（インピーダンス）は、２πｆＬなので、インダクタンスを１ｍＨとすると、３０ＭＨｚの高周波に対しては、１８８ＫΩのインピーダンスをもち、別の差込口１０５への高周波信号のもれを阻止する。なお、通常の商用電源の周波数（５０Ｈｚまたは６０Ｈｚ）に対しては、０．３Ωのインピーダンスで、抵抗なく通過させる。
【００６２】
また、コンデンサＣ１，Ｃ２のリアクタンス（インピーダンス）は、１／（２πｆＣ）なので、キャパシタンスを０．０１μＦとすると、３０ＭＨｚの高周波に対しては、０．５３Ωのインピーダンスで、抵抗なく通過させる。同様に、通常の商用電源の周波数（５０Ｈｚまたは６０Ｈｚ）に対しては、３００ＫΩのインピーダンスをもち、高周波信号受信部に１００Ｖの強い電力の影響を与えない。
【００６３】
そして、具体的にインピーダンスを計算する場合、コイルＬ１，Ｌ２の高周波信号に対するインピーダンスは、周波数＝３０ＭＨｚ、コイルインダクタンス＝１ｍＨのとき、下記（１）式のように求めることができる。
【００６４】
【数１】
0005488038.tif 000002
【００６５】
また、コンデンサＣ１，Ｃ２の高周波信号に対するインピーダンスは、周波数＝３０ＭＨｚ、コンデンサ容量＝０．０１μＦのとき、下記（２）式のように求めることができる。
【００６６】
【数２】
0005488038.tif 000003
【００６７】
また、コイルＬ１，Ｌ２の電源周波数に対するインピーダンスは、周波数＝５０ＭＨｚ（東日本の場合）、コイルインダクタンス＝１ｍＨのとき、下記（３）式のように求めることができる。
【００６８】
【数３】
0005488038.tif 000004
【００６９】
また、コンデンサＣ１，Ｃ２の電源周波数にするインピーダンスは、周波数＝５０ＭＨｚ（東日本の場合）、コンデンサ容量＝０．０１μＦのとき、下記（４）式のように求めることができる。
【００７０】
【数４】
0005488038.tif 000005
【００７１】
電流検出器４０１は、差込口１０５に流れる電流が所定値以下か否かを判断する機能を有する。所定値としては、具体的には、１０ｍＡが設定される。そして、電流検出器４０１は、１０ｍＡ以下の電流が検出された場合には、電流＝０である旨を送信する。差込口１０５にストレージ装置１１０が接続されていなければ、電流が流れないため電流値は０になる。したがって、電流検出器４０１によって電流＝０が検出されると、差込口１０５にはストレージ装置１１０が接続されていないことを意味する。
【００７２】
高周波信号受信部４０２は、高周波信号を受信したか否かを判断する機能を有する。差込口１０５からは、ストレージ装置１１０から送出された高周波信号が電源コード２を経由して出力される。そして、高周波信号受信部４０２は、差込口１０５から高周波信号が出力されると、高周波信号を受信した旨を判定部４０３に送信する。上述したように、ストレージ装置１１０は、電源投入が完了すると高周波信号を送出する。したがって、高周波信号受信部４０２は、差込口１０５に接続されたストレージ装置１１０の電源投入状況を判定することができる。
【００７３】
判定部４０３は、差込口１０５の接続状況に応じて、ＲＥＡＤＹ状態か否かを判定する機能を有する。具体的には、判定部４０３は、電流検出器４０１と高周波信号受信部４０２から送信された信号に基づいて、差込口１０５にストレージ装置１１０が接続されているか、接続されている場合には、ストレージ装置１１０の電源投入が完了しているかを判定する。なお、判定部４０３によって実行される判定処理については、詳しく後述する。
【００７４】
ＡＮＤ判定部４０４は、すべての判定部４０３からの入力が一致した場合に電源スイッチ１０２−２（電源スイッチ２）を操作する機能を有する。具体的には、ＡＮＤ判定部４０４には、各判定部４０３による判定結果が入力される。そして、すべての判定部４０３からＲＥＡＤＹ状態である判定結果が入力されると、すべてのストレージ装置１１０の電源投入が完了したものとしてサーバ装置中核部１０３の電源投入を開始する。そのため、ＡＮＤ判定部４０４から、電源スイッチ１０２−２（電源スイッチ２）へ、押しボタン押下と同等の短絡信号を送信する。
【００７５】
状態表示器４０５は、判定部４０３によって判定されたＲＥＡＤＹ状態を表示する機能を有する。具体的には、状態表示器４０５は、ランプなどの点灯器によって構成され、判定部４０３によって接続されたストレージ装置１１０がＲＥＡＤＹ状態と判定されると、点灯器を点灯させる。なお、状態表示器４０５は、サーバシステム３００における電源連動を直接制御する機能ではないため、必須の構成ではない。しかしながら、状態表示器４０５によってＲＥＡＤＹ状態を表示することによって、ユーザに視覚的にＲＥＡＤＹ状態を把握させることができる。
【００７６】
図５は、判定部における判定処理の手順を示すフローチャートである。図５のフローチャートは、判定部４０３において、差込口１０５に接続されたストレージ装置１１０のＲＥＡＤＹ状態を判定する手順を示す。判定部４０３では、図５に示す処理を行う判定プログラムが実行される。
【００７７】
まず、判定部４０３は、電源部１２０からの入力電源が供給されているか否かを判断する（ステップＳ５０１）。ステップＳ５０１では、入力電源が供給されたと判断されるまで待機状態となり（ステップＳ５０１：Ｎｏのループ）、入力電源が供給されたと判断されると（ステップＳ５０１：Ｙｅｓ）、判定部４０３は、判定プログラムの動作を開始する。
【００７８】
まず、判定部４０３は、判定プログラムの動作が開始されてから所定時間が経過したか否かを判断する（ステップＳ５０２）。ステップＳ５０２において、所定時間が経過したと判断されるまで待機状態となり（ステップＳ５０２：Ｎｏのループ）、所定時間が経過すると（ステップＳ５０２：Ｙｅｓ）、ステップＳ５０３へ移行して、実質的な判断処理に移行する。
【００７９】
なお、ステップＳ５０２では、具体的には、たとえば、１秒を所定時間として設定する。ステップＳ５０２の処理は、判定部４０２が判定処理を開始させてから所定時間待機させるために行われる。通常、電源スイッチ１０２−１（電源スイッチ１）がＯＮ状態になってからストレージ装置１１０へ電力供給が開始されるまで、微小な時差が生じる。時差は、サーバシステム３００の規模が大きいほど大きくなる。
【００８０】
したがって、ステップＳ５０２の待機を行わない場合、判定部４０３における判定処理に電力供給が間に合わず、後述のステップＳ５０３において誤判定を起こしてしまう可能性がある。したがって、ステップＳ５０２の処理を経ることによって、常に正確にステップＳ５０３の判断を実行させることができる。
【００８１】
つぎに、判定部４０３は、電流検出器４０１によって検出した電流が０か否かを判断する（ステップＳ５０３）。ステップＳ５０３の処理によって、差込口１０５にストレージ装置１１０が接続されているか否かを判定することができる。ステップＳ５０３において、電流＝０であると判断された場合（ステップＳ５０３：Ｙｅｓ）、差込口１０５にストレージ装置１１０は接続されていないため、電源投入状態を判断する必要がない。したがって、判定部４０３は、そのまま対応する差込口１０５をＲＥＡＤＹ状態に設定する（ステップＳ５０５）。
【００８２】
一方、ステップＳ５０３において、電流＝０でないと判断された場合（ステップＳ５０３：Ｎｏ）、差込口１０５にストレージ装置１１０が接続されているため、判定部４０３は、高周波信号受信部４０２からＲＥＡＤＹ通知（高周波信号を受信した旨の信号）を、受信したか否かを判断する（ステップＳ５０４）。
【００８３】
ステップＳ５０４において、高周波信号受信部４０２からＲＥＡＤＹ通知を受信するまで待ち（ステップＳ５０４：Ｎｏのループ）、ＲＥＡＤＹ通知を受け付けると（ステップＳ５０４：Ｙｅｓ）、判定部４０３は、対応する差込口１０５をＲＥＡＤＹ状態に設定する（ステップＳ５０５）。
【００８４】
その後、判定部４０３は、内蔵コンセント１０１への入力電源が所定値以下（たとえば、１０Ｖ以下）になったか否かを判断する（ステップＳ５０６）。ステップＳ５０６において、入力電源が所定値以下ではないと判断された場合（ステップＳ５０６：Ｎｏ）、判定部４０３は、サーバシステム３００への電力供給が継続するため、ステップＳ５０２に戻り、処理を継続する。その後、入力電源が所定値以下になったと判断された場合（ステップＳ５０６：Ｎｏ）、判定部４０３はそのまま判定プログラムの動作を終了する。
【００８５】
以上説明したように、実施例１では、内蔵コンセント１０１にストレージ装置１１０を接続することによって、電源コード２によって、ストレージ装置１１０に電力供給が行われる。また、電力コード１から入力された電力は、ストレージ装置１１０の電源投入が完了するまで、サーバ装置１００を起動させるサーバ装置中核部１０３への供給が規制される。したがって、誤ってサーバ装置中枢部１０３→ストレージ装置１１０の順で電源投入が行われるような事態を防ぐことができる。
【００８６】
また、内蔵コンセント１０１は、差込口１０５を流れる電流を検出して、ストレージ装置１１０が接続されているか否かを判断することができる。したがって、ストレージ装置１１０が接続されていない差込口１０５については、自動的にＲＥＡＤＹ状態に設定するため、差込口１０５の個数の範囲であれば、ユーザの所望する台数のストレージ装置１１０を接続することができる。
【００８７】
（実施例２）
実施例２は、サーバ装置１００に、内蔵コンセント１０１に設けられた差込口１０５の個数を超えた台数のストレージ装置１１０を接続する場合の実施例である。実施例２の場合、内蔵コンセント１０１の差込口１０５に、さらに多数のストレージ装置１１０を接続可能な連携テーブルタップ６１０（図６参照）を電源コード３によって接続する。
【００８８】
図６は、実施例２におけるストレージシステムの構成例を示す説明図である。サーバシステム６００は、サーバ装置１００と、サーバ装置１００に内蔵コンセント１０１から電源コード３によって接続された連携テーブルタップ６１０と、内蔵コンセント１０１および連携テーブルタップ６１０に接続されたストレージ装置１１０とによって構成される。連携テーブルタップ６１０には、電源コード３によって、サーバ装置１００から電力が供給される構成になっている。また、連携テーブルタップ６１０に供給された電力は、さらに、電源コード４によって接続されたストレージ装置１１０に供給される。
【００８９】
実施例２の場合も、サーバ装置１００やストレージ装置１１０の構成は実施例１と同一である。また、連携テーブルタップ６１０には、ストレージ装置１１０と同様に高周波信号送出機構１１１が用意されている。したがって、内蔵コンセント１０１には、連携テーブルタップ６１０の高周波信号送出機構１１１から高周波信号を送信する機能と、ストレージ装置１１０から送出された高周波信号と連携テーブルタップ６１０自体が送信した高周波信号との混合を防ぐ機能とが追加されている以外は、内蔵コンセント１０１と同じ構成である。なお、連携テーブルタップ６１０の構成については詳しく後述する。
【００９０】
＜電源投入手順＞
つぎに、上述したような構成のサーバシステム６００における電源投入手順について説明する。なお、電源投入前の電源切断状態のサーバシステム６００では、電源スイッチ１０２はすべてＯＦＦ状態になっているものとする。
【００９１】
１）サーバ装置１００は、電源切断状態時に、ユーザによって電源スイッチ１０２−１（電源スイッチ１）の操作ボタンが押下されると、電源スイッチ１０２−１（電源スイッチ１）は、ＯＮ状態となる。なお、１）の処理の実行に連動して、電源スイッチ１０２−２（電源スイッチ２）が強制的にＯＦＦ状態になるように設定してもよい。このような設定を施すことによって、電源投入前の初期状態に、誤って電源スイッチ１０２−２（電源スイッチ２）がＯＮ状態に設定されている場合に、サーバ装置１００に電力が供給されてしまうような事態を防ぐことができる。
【００９２】
２）電源スイッチ１０２−１（電源スイッチ１）が、ＯＮ状態になると、電源スイッチ１０２−２（電源スイッチ２）と、内蔵コンセント１０１に定格電圧を与え電力を供給する。すなわち、電源スイッチ１０２−２（電源スイッチ２）と、内蔵コンセント１０１に外部電源による電圧がかかる（電力供給状態となる）。
【００９３】
３）上記２）の処理によって内蔵コンセント１０１に電力が供給されると、電源コード３によって、連携テーブルタップ６１０に電力が供給される。
【００９４】
４）連携テーブルタップ６１０の各差込口６１２に電源の電圧がかかり、電力供給状態となる。
【００９５】
５）上記２）の処理によって内蔵コンセント１０１に電力が供給されると、電源コード２によって、内蔵コンセント１０１に接続されたストレージ装置１１０が、電力非供給状態から電力供給状態となり、電源電圧が０Ｖから定格電圧に変わる。なお、あらかじめ、ストレージ装置１１０は、電源電圧が０Ｖから定格電圧に変わると、起動を開始するようなモードに設定しておく。したがって、ストレージ装置１１０は、電力供給状態に変わると、起動を開始する。
【００９６】
６）上記４）の処理によって、連携テーブルタップ６１０に接続されたストレージ装置１１０が、電力非供給状態から電力供給状態にとなり、電源電圧が０Ｖから定格電圧に変わる。連携テーブルタップ６１０に接続されたストレージ装置１１０も、内蔵コンセント１０１に接続されたストレージ装置１１０と同様に、電力供給状態に変わると、起動を開始する。
【００９７】
７）サーバ装置１００の内蔵コンセント１０１に接続されたストレージ装置１１０の起動が完了すると、高周波信号送出機構１１１から電源コード２を経由して高周波信号が送出される。なお、高周波信号送出機構１１１は、たとえば、ストレージ装置１１０の起動が完了して電源投入状態になると、ＲＥＡＤＹ表示ランプを点灯させ、点灯したＲＥＡＤＹ表示ランプの電圧を受けて、高周波信号を送出する構成であってもよい。送出された高周波信号は、電源コード２を経由して差込口１０５に出力される。なお、実施例２の場合も、高周波信号の周波数を３０ＭＨｚとして以下説明を行う。
【００９８】
８）また、連携テーブルタップ６１０に接続されたストレージ装置１１０の起動が完了すると、高周波信号送出機構１１１から電源コード４を経由して高周波信号が送出される。高周波信号は、上記７）の処理と同様に、ストレージ装置１１０から送出される。
【００９９】
９）連携テーブルタップ６１０は、高周波信号処理部６１１によって、各差込口６１２のＲＥＡＤＹ状態を意味する高周波信号を検出する。なお、高周波信号処理部６１１には、すべての差込口６１２における検出結果が入力されるＡＮＤ回路が用意されている。そして、ＡＮＤ回路は、すべての差込口６１２から出力された高周波信号のＡＮＤ判断を行う。したがって、高周波信号処理部６１１は、すべての差込口６１２から高周波信号が出力されると、電源コード３に高周波信号を送出する。
【０１００】
１０）高周波信号処理部１０４は、内蔵コンセント１０１に備えられた各差込口１０５から高周波信号が出力されたか否かを検出する。なお、高周波信号処理部１０４には、すべての差込口１０５（連携テーブルタップ６１０が接続された差込口１０５を含む）における検出結果が入力されるＡＮＤ回路が用意されている。そして、ＡＮＤ回路は、すべての差込口１０５から出力された高周波信号のＡＮＤ判断を行う。したがって、高周波信号処理部１０４は、すべての差込口１０５から高周波信号が出力されると、の電源スイッチ１０２−２（電源スイッチ２）に、押しボタン押下の操作を行ったと同等の短絡信号を送信する。
【０１０１】
１１）電源スイッチ１０２−２（電源スイッチ２）は、高周波信号処理部１０４から送信された短絡信号を受信すると、論理的に押しボタンが押下されたものとして、電源スイッチ１０２−２（電源スイッチ２）自体を、ＯＮ状態に切り替える。電源スイッチ１０２−２（電源スイッチ２）は、ＯＮ状態になると、サーバ装置中核部１０３に、定格電圧を与え、電力を供給する。
【０１０２】
以上説明した１）〜１１）の手順によってサーバシステム３００は、ストレージ装置１１０→サーバ装置１００の順序で適切に電源投入が行われる。その後、サーバシステム６００の電源を停止する場合には、下記のような手順が行われる。
【０１０３】
１２）ユーザの操作によってサーバ装置１００の終了処理（シャットダウン）が実行される。サーバ装置１００の終了処理によって、サーバ装置１００のサーバ装置中核部１０３に流れる電源電流は非常に小さくなる。
【０１０４】
１３）上記１２）の処理と同様に、ユーザの操作によってストレージ装置１１０も停止処理が行われる。ストレージ装置１１０の停止処理が完了すると、ストレージ装置１１０に流れる電源電流は非常に小さくなる。
【０１０５】
１４）上記１２），１３）の処理によって電源電流が一定基準（たとえば、１０ｍＡ程度）より小さくなると、サーバ装置１００とストレージ装置１１０とは、ともに停止したものとして、電源スイッチ１０２−１（電源スイッチ１）は、電源切断状態とする。具体的には、電源スイッチ１０２−１（電源スイッチ１）は、電源スイッチ１０２−２（電源スイッチ２）および内蔵コンセント１０１に与える電源電圧を０Ｖにし、電力供給を停止する。
【０１０６】
以上の１２）〜１４）の処理によって、内蔵コンセント１０１および連携テーブルタップ６１０が電力非供給状態（０Ｖ）となり、接続されているストレージ装置１１０も電力非供給状態（０Ｖ）となり、サーバシステム６００は電源停止状態となる。
【０１０７】
（連携テーブルタップ６１０の構成）
図７は、連携テーブルタップの構成を示す説明図である。図７を用いて、連携テーブルタップ６１０の詳細な構成について説明する。図７のように、連携テーブルタップ６１０は、各差込口６１２に対応して、それぞれ、内蔵コンセント１０１と共通した機能部として、抵抗Ｒ１と、コイルＬ１，Ｌ２と、コンデンサＣ１，Ｃ２と、電流検出器６０１（電流検出器１，２）と、高周波信号受信部６０２（高周波信号受信部１，２）と、判定部６０３（判定部１，２）と、ＡＮＤ判定部６０４と、状態表示器６０５（状態表示器１，２）とが備えられ、連携テーブルタップ６１０独自の機能部として、コイルＬ３と、コンデンサＣ３と、高周波信号送信部６０６とが備えられている。
【０１０８】
したがって、以下では、連携テーブルタップ６１０独自の機能部である、コイルＬ３と、コンデンサＣ３と、高周波信号送信部６０６とについて説明する。連携テーブルタップ６１０は、ＡＮＤ判定部６０４によって、差込口６１２に接続されたすべてのストレージ装置１１０がＲＥＡＤＹ状態であると判定すると、連携テーブルタップ６１０自体の電源投入が完了し、ＲＥＡＤＹ状態であることを、内蔵コンセント１０１に報知しなければならない。
【０１０９】
そこで、高周波信号送信部６０６は、ＡＮＤ判定部６０４の判定結果に応じて高周波信号を送信する。すなわち、ＡＮＤ判定部６０４によって差込口６１２に接続されたすべてのストレージ装置１１０がＲＥＡＤＹ状態であると判定されると、高周波信号送信部６０６から高周波信号が送信され、電源コード３を経由して、内蔵コンセント１０１に出力される。
【０１１０】
なお、連携テーブルタップ６１０の場合、高周波信号送信部６０６から高周波信号が、送信されるため、高周波信号受信部６０２が、差込口６１２から出力されるストレージ装置１１０の高周波信号と誤って受信してしまう恐れがある。したがって、連携テーブルタップ６１０に、コイルＬ３を配置することによって、高周波信号送信部６０６から送信された高周波信号が、高周波信号受信部６０２に流れ込むのを防いでいる。また、コンデンサＣ３は、高周波信号送信部６０２に１００Ｖの強い電力の影響を与えるのを防いでいる。
【０１１１】
以上説明したように、実施例２では、サーバ装置１００に多数のストレージ装置１１０を接続する場合であっても、連携テーブルタップ６１０を利用することによって、電源コード４に接続すれば、容易に、ストレージ装置１１０の台数を増加することができる。
【０１１２】
また、実施例１，２に共通して、従来技術のように専用の大がかりなハードウェアやソフトウェアを用意することなく、サーバ装置１００とストレージ装置１１０の電源を連動することができる。ハードウェアやソフトウェアが不要ということは、起動順番や起動待ち時間などの各種設定を行う必要がないことを意味し、設定をミスによる誤動作を防ぐことができる。
【０１１３】
また、ストレージ装置１１０とサーバ装置１００とは、電源コード（図３，６の電源コード１〜４）のみで接続される。したがって、サーバ装置１００の内蔵コンセント１０１へストレージ装置１１０の電源プラグを差し込むだけで容易に電源連動を行うことができる。
【０１１４】
以上説明したように、本実施の形態にかかる情報処理装置および情報処理システムによれば、電源コードによって、サーバ装置１００とストレージ装置１１０を接続し、電源コードを経由してストレージ装置１１０から出力される高周波信号によってストレージ装置１１０の電源投入状況を把握することができる。したがって、高周波信号の受信を契機に、サーバ装置１００への電源投入を開始することによって、電源コードを接続するだけの簡易な構成でありながら、適切なタイミングで電源連動を実現することができる。
【０１１５】
また、上記技術では、さらに、電源スイッチ１０２（電源スイッチ１，２）を備えることによって、サーバ装置中核部１０３への電源部１２０からの電力の入力を規制して、任意のタイミングで、サーバ装置１００を起動させることができる。
【０１１６】
また、上記技術では、第１のスイッチがＯＮ状態に操作されると、後段に接続されている第２のスイッチを強制的にＯＦＦ状態にする構成でもよい。第２のスイッチの状態にかかわらず、強制的にＯＦＦ状態に操作することによって、第１のスイッチに供給された電力がサーバ装置中核部１０３に供給されるような事態を防ぐことができる。
【０１１７】
また、上記技術では、複数のストレージ装置１１０が接続されている場合、すべてのストレージ装置１１０から高周波信号が検出されたとき、サーバ装置中核部１０３への電力供給を開始する構成をとる。上述のような構成を採用することによって、複数のストレージ装置１１０が接続されている場合であっても、すべてのストレージ装置１１０の電源投入が完了してからサーバ装置１００への電源投入を開始することができる。
【０１１８】
また、上記技術では、各ストレージ装置１１０を接続する差込口１０５ごとに、隣接する差込口１０５から出力される高周波信号を排除するフィルタを備えてもよい。フィルタを備えることによって、隣接する差込口１０５から出力された高周波信号を受信して、ストレージ装置１１０の電源投入状態を誤検出するような事態を防ぐことができる。
【０１１９】
また、上記技術では、電源コードから所定値以下の電流が検出された場合、高周波信号が検出されていなくても、サーバ装置中核部１０３への電力供給の規制を解除する構成にしてもよい。所定値として０Ｖ以下の電圧を設定することによって、内蔵コンセント１０１は、ストレージ装置１１０が接続されていない電源コードを判別し、電源投入状況にかかわらず、ＲＥＡＤＹ状態として処理することができる。
【０１２０】
また、上記技術では、電源コードのひとつに分岐コンセントを接続して、分岐コンセントにさらにストレージ装置１１０を接続可能な構成にしてもよい。分岐コンセント自体も、接続されたストレージ装置１１０の電源投入が完了すると、電源コードに高周波信号を送信するように機能させることによって、ストレージ装置１１０の機能を変更することなく、接続可能なストレージ装置１１０の台数を増加させることができる。
【０１２１】
上述した実施の形態に関し、さらに以下の付記を開示する。
【０１２２】
（付記１）電源コードによりストレージ装置が接続可能な情報処理装置であって、
電力供給により前記情報処理装置を起動させる電源部と、
操作入力により前記情報処理装置に電源投入された場合、前記電源部への電力供給を規制するとともに、前記電源コードを経由して前記ストレージ装置に電力供給する電力供給部と、
前記電力供給部によって前記ストレージ装置に電力供給された結果、前記ストレージ装置から前記電源コードを経由してくる所定の信号を検出する検出部と、
前記検出部によって前記所定の信号が検出された場合、前記電力供給部による前記電源部への電力供給の規制を解除する制御部と、
を備えることを特徴とする情報処理装置。
【０１２３】
（付記２）前記電力供給部は、
第１の電力供給線上に設けられ、前記操作入力により前記第１の電力供給線を結線または切り離す第１のスイッチと、
前記第１の電力供給線上の前記第１のスイッチと前記電源部との間に設けられ、前記第１のスイッチと前記電源部との間を結線または切り離す第２のスイッチと、
前記第１の電力供給線上の前記第１のスイッチと前記第２のスイッチとの間から分岐した前記電源コードへの第２の電力供給線と、を備え、
前記第１のスイッチにより前記第１の電力供給線が結線されると前記第２の電力供給線および前記電源コードを経由して前記ストレージ装置に電力供給し、前記検出部により前記所定の信号が検出されると、前記第２のスイッチにより前記第１のスイッチと前記電源部との間を結線することを特徴とする付記１に記載の情報処理装置。
【０１２４】
（付記３）前記第２のスイッチは、前記第１のスイッチにより前記第１の電力供給線が結線されると、前記第１のスイッチと前記電源部との間を切り離すことを特徴とする付記２に記載の情報処理装置。
【０１２５】
（付記４）前記制御部は、
前記ストレージ装置ごとに前記電源コードが接続されている場合、前記検出部により、前記各ストレージ装置から各々の電源コードを経由してくる前記所定の信号がすべて検出されたとき、前記電力供給部による前記電源部への電力供給の規制を解除することを特徴とする付記１〜３のいずれか一つに記載の情報処理装置。
【０１２６】
（付記５）前記各ストレージ装置を接続する前記電源コードの差込口ごとに、隣接して接続されている他の電源コードを経由してくる前記所定の信号を排除するフィルタを備えることを特徴とする付記４に記載の情報処理装置。
【０１２７】
（付記６）前記制御部は、
前記検出部によって、前記電源コードから所定値以下の電流が検出された場合、前記所定の信号が検出されていなくても、前記電力供給部による前記電源部への電力供給の規制を解除する付記１〜５のいずれか一つに記載の情報処理装置。
【０１２８】
（付記７）前記電源コードに接続した、前記ストレージ装置を複数接続可能な分岐コンセントを備え、
前記分岐コンセントは、当該分岐コンセントに接続されたすべての電源コードから所定の信号が検出された場合に、前記情報処理装置に接続された電源コードに前記所定の信号を出力することを特徴とする付記１〜６のいずれか一つに記載の情報処理装置。
【０１２９】
（付記８）情報処理装置と当該情報処理装置に電源コードを介して接続されたストレージ装置とを含む情報処理システムであって、
前記ストレージ装置は、
前記電源コードから電力が供給されると、電力供給の完了を通知する所定の信号を前記電源コードに送出する送出部を備え、
前記情報処理装置は、
電力供給により前記情報処理装置を起動させる電源部と、
操作入力により前記情報処理装置に電源投入された場合、前記電源部への電力供給を規制するとともに、前記電源コードを経由して前記ストレージ装置に電源供給する電源供給部と、
前記電源供給部によって前記ストレージ装置に電源供給された結果、前記ストレージ装置から前記電源コードを経由してくる前記所定の信号を検出する検出部と、
前記検出部によって前記所定の信号が検出された場合、前記電源供給部による前記電源部への電力供給の規制を解除する制御部と、を備えることを特徴とする情報処理システム。
【符号の説明】
【０１３０】
１００  サーバ装置
１０１  内蔵コンセント
１０１ａ  電力供給部
１０１ｂ  検出部
１０１ｃ  制御部
１０２（１０２−１，１０２−２）  電源スイッチ（電源スイッチ１，２）
１０３  サーバ装置中核部
１０４  高周波信号処理部
１０５  差込口
１１０  ストレージ装置
１１１  高周波信号送出機構
１２０  電源部
２００  情報処理システム
３００，６００  サーバシステム
４０１  電流検出器（電流検出器１，２）
４０２  高周波信号受信部（高周波信号受信部１，２）
４０３  判定部（判定部１，２）
４０４  ＡＮＤ判定部
４０５  状態表示器（状態表示器１，２）
【図１】
0005488038.tif 000006
【図２】
0005488038.tif 000007
【図３】
0005488038.tif 000008
【図４】
0005488038.tif 000009
【図５】
0005488038.tif 000010
【図６】
0005488038.tif 000011
【図７】
0005488038.tif 000012